【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による無線通信の方法であって、
前記ＵＥによって使用される０本以上のアンテナからなる少なくとも第１のセットから、０本以上のアンテナからなる少なくとも１つの第２のセットへの切替をスケジューリングすることと、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定することと、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として決定される、
前記ＣＱＩを前記基地局に送信することと
を備える方法。
【請求項２】
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成される前記第１のＲＡＴのための少なくとも１本の追加のアンテナを備える、請求項１に記載の方法。
【請求項３】
前記第２のセットは、前記第１のセットよりも１本以上少ない数のアンテナを備える、請求項１に記載の方法。
【請求項４】
前記報告されたＣＱＩに対応する前記ＣＱＩサブフレームセットを定義することをさらに備え、前記ＣＱＩサブフレームセットの長さは、前記基地局でのＣＱＩ受信インターバルに対応する、請求項１に記載の方法。
【請求項５】
前記基地局での前記ＣＱＩ受信インターバルは、前記ＵＥから２つの連続したＣＱＩ報告を受信する間の時間期間である、請求項４に記載の方法。
【請求項６】
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、請求項１に記載の方法。
【請求項７】
前記フィードバック時間遅延は、前記基地局への送信時間、前記基地局で前記ＣＱＩを復号するための時間、および、前記基地局で前記ＣＱＩに基づいてレートを調節するための時間を備える、請求項６に記載の方法。
【請求項８】
前記ＵＥは、前記フィードバック時間遅延を、前記ＣＱＩの送信の時間と、前記基地局から受信されたデータの変調およびコード化スキーム（ＭＣＳ）が大幅に変化する時間とに基づいて決定する、請求項６に記載の方法。
【請求項９】
前記ＵＥは、前記フィードバック時間遅延に対して一定の定数を使用する、請求項６に記載の方法。
【請求項１０】
前記ＵＥから報告されるべき前記ＣＱＩは、前記ＣＱＩサブフレームセットの間使用される各アンテナセットについての前記ＣＱＩと、前記アンテナセットが使用される前記ＣＱＩサブフレームセット内のサブフレームの数との組み合わせの関数として決定される、請求項１に記載の方法。
【請求項１１】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、請求項１０に記載の方法。
【請求項１２】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、請求項１０に記載の方法。
【請求項１３】
前記ＵＥから報告されるべき前記ＣＱＩは、前記ＣＱＩサブフレームセットの間使用される各アンテナセットについてのＣＱＩの最小値である、請求項１に記載の方法。
【請求項１４】
前記ＵＥから報告されるべき前記ＣＱＩは、前記ＣＱＩサブフレームセットの間使用される各アンテナセットについてのＣＱＩの最大値である、請求項１に記載の方法。
【請求項１５】
前記ＵＥから報告されるべき前記ＣＱＩは、前記ＣＱＩサブフレームセットの間使用される各アンテナセットについてのＣＱＩの平均値である、請求項１に記載の方法。
【請求項１６】
前記ＣＱＩは、前記ＵＥと前記基地局との間のトラフィックのサービス品質（ＱＯＳ）の関数として決定される、請求項１に記載の方法。
【請求項１７】
前記ＣＱＩは、以前のＣＱＩ決定からの記憶されたＣＱＩ値を備える、請求項１に記載の方法。
【請求項１８】
前記ＣＱＩは、以前のＣＱＩ決定からの記憶されたＣＱＩ値プラスオフセットを備える、請求項１に記載の方法。
【請求項１９】
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、請求項１に記載の方法。
【請求項２０】
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、請求項１に記載の方法。
【請求項２１】
前記基地局で適用されるバックオフを補償するために前記ＣＱＩを調整することをさらに備える、請求項１に記載の方法。
【請求項２２】
前記ＣＱＩを調整することは、
前記第１のセット内のアンテナの数が前記０本以上のアンテナからなる少なくとも１つの第２のセット内のものよりも少ない場合、前記ＣＱＩをより高いＣＱＩ値へと調整することを備える、請求項２１に記載の方法。
【請求項２３】
前記ＣＱＩを調整することは、
前記第１のセット内のアンテナの数が前記０本以上のアンテナからなる少なくとも１つの第２のセット内のものよりも多い場合、前記ＣＱＩをより低いＣＱＩ値へと調整することを備える、請求項２１に記載の方法。
【請求項２４】
性能全体を最適化するために、ＣＱＩ報告期間またはＣＱＩサブフレームセットのうちの少なくとも１つと揃うように、前記アンテナの前記切替をスケジューリングすることをさらに備える、請求項１に記載の方法。
【請求項２５】
前記ＵＥが、前記ＣＱＩサブフレームセットの間、１本以上のアンテナからなる１つのセットだけを使用するように、前記アンテナの前記切替をスケジューリングすることをさらに備える、請求項１に記載の方法。
【請求項２６】
前記第１のＲＡＴは、ロングタームエボリューション（ＬＴＥ）を備える、請求項２に記載の方法。
【請求項２７】
前記第２のＲＡＴは、無線ローカルエリアネットワーク（ＷＬＡＮ）を備える、請求項２６に記載の方法。
【請求項２８】
特定の基準を最適化するために、デューティサイクルと併せて、前記ＵＥにおける前記０本以上のアンテナからなる少なくとも１つの第２のセットを選択することをさらに備える、請求項１に記載の方法。
【請求項２９】
前記基準は、少なくとも第１および第２の無線アクセス技術（ＲＡＴ）についてスループットの最小値を最大にすることを備える、請求項２８に記載の方法。
【請求項３０】
前記基準は、少なくとも第１および第２の無線アクセス技術（ＲＡＴ）についてスループットの合計を最大にすることを備える、請求項２８に記載の方法。
【請求項３１】
特定のＲＡＴに割り振られたアンテナセットは、前記ＲＡＴのトラフィックのタイプに部分的に基づく、請求項１に記載の方法。
【請求項３２】
ロングタームエボリューション（ＬＴＥ）に使用されているアンテナについての前記第２のＲＡＴ上での測定は、物理ダウンリンク制御チャネル（ＰＤＣＣＨ）がひとつも復号されないサブフレームの物理ダウンリンク共有チャネル（ＰＤＳＣＨ）部分で実行される、請求項２に記載の方法。
【請求項３３】
ユーザ機器（ＵＥ）による無線通信のための装置であって、
前記ＵＥによって使用される０本以上のアンテナからなる少なくとも第１のセットから０本以上のアンテナからなる少なくとも１つの第２のセットへの切替をスケジューリングするための手段と、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定するための手段と、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として決定される、
前記ＣＱＩを前記基地局に送信するための手段と
を備える装置。
【請求項３４】
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成される前記第１のＲＡＴのための少なくとも１本の追加のアンテナを備える、請求項３３に記載の装置。
【請求項３５】
前記第２のセットは、前記第１のセットよりも１本以上少ない数のアンテナを備える、請求項３３に記載の装置。
【請求項３６】
前記報告されたＣＱＩに対応する前記ＣＱＩサブフレームセットを定義するための手段をさらに備え、前記ＣＱＩサブフレームセットの長さは、前記基地局でのＣＱＩ受信インターバルに対応する、請求項３３に記載の装置。
【請求項３７】
前記基地局での前記ＣＱＩ受信インターバルは、前記ＵＥから２つの連続したＣＱＩ報告を受信する間の時間期間である、請求項３６に記載の装置。
【請求項３８】
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、請求項３３に記載の装置。
【請求項３９】
前記フィードバック時間遅延は、前記基地局への送信時間、前記基地局で前記ＣＱＩを復号するための時間、および前記基地局で前記ＣＱＩに基づいてレートを調節するための時間を備える、請求項３８に記載の装置。
【請求項４０】
前記ＵＥは、前記フィードバック時間遅延を、前記ＣＱＩの送信の時間と、前記基地局から受信されたデータの変調およびコード化スキーム（ＭＣＳ）が大幅に変化する時間とに基づいて決定する、請求項３８に記載の装置。
【請求項４１】
前記ＵＥは、前記フィードバック時間遅延に対して一定の定数を使用する、請求項３８に記載の装置。
【請求項４２】
前記ＵＥから報告されるべき前記ＣＱＩは、前記ＣＱＩサブフレームセットの間使用される各アンテナセットについての前記ＣＱＩと、前記アンテナセットが使用される前記ＣＱＩサブフレームセット内のサブフレームの数との組み合わせの関数として決定される、請求項３３に記載の装置。
【請求項４３】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、請求項４２に記載の装置。
【請求項４４】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、請求項４２に記載の装置。
【請求項４５】
前記ＵＥから報告されるべき前記ＣＱＩは、前記ＣＱＩサブフレームセットの間使用される各アンテナセットについてのＣＱＩの最小値である、請求項３３に記載の装置。
【請求項４６】
前記ＵＥから報告されるべき前記ＣＱＩは、前記ＣＱＩサブフレームセットの間使用される各アンテナセットについてのＣＱＩの最大値である、請求項３３に記載の装置。
【請求項４７】
前記ＵＥから報告されるべき前記ＣＱＩは、前記ＣＱＩサブフレームセットの間使用される各アンテナセットについてのＣＱＩの平均値である、請求項３３に記載の装置。
【請求項４８】
前記ＣＱＩは、前記ＵＥと前記基地局との間のトラフィックのサービス品質（ＱＯＳ）の関数として決定される、請求項３３に記載の装置。
【請求項４９】
前記ＣＱＩは、以前のＣＱＩ決定からの記憶されたＣＱＩ値を備える、請求項３３に記載の装置。
【請求項５０】
前記ＣＱＩは、以前のＣＱＩ決定からの記憶されたＣＱＩ値プラスオフセットを備える、請求項３３に記載の装置。
【請求項５１】
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、請求項３３に記載の装置。
【請求項５２】
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、請求項３３に記載の装置。
【請求項５３】
前記基地局で適用されるバックオフを補償するために前記ＣＱＩを調整するための手段
をさらに備える、請求項３３に記載の装置。
【請求項５４】
前記ＣＱＩを調整するための手段は、
前記第１のセット内のアンテナの数が前記０本以上のアンテナからなる少なくとも１つの第２のセット内のものよりも少ない場合、前記ＣＱＩをより高いＣＱＩ値へと調整する  ように構成される、請求項５３に記載の装置。
【請求項５５】
前記ＣＱＩを調整するための手段は、
前記第１のセット内のアンテナの数が前記０本以上のアンテナからなる少なくとも１つの第２のセット内のものよりも多い場合、前記ＣＱＩをより低いＣＱＩ値へと調整するように構成される、請求項５３に記載の装置。
【請求項５６】
性能全体を最適化するために、ＣＱＩ報告期間またはＣＱＩサブフレームセットのうちの少なくとも１つと揃うように前記アンテナの前記切替をスケジューリングするための手段をさらに備える、請求項３３に記載の装置。
【請求項５７】
前記ＵＥが、前記ＣＱＩサブフレームセットの間、１本以上のアンテナからなる１つのセットだけを使用するように、前記アンテナの前記切替をスケジューリングすることをさらに備える、請求項３３に記載の装置。
【請求項５８】
前記第１のＲＡＴは、ロングタームエボリューション（ＬＴＥ）を備える、請求項３４に記載の装置。
【請求項５９】
前記第２のＲＡＴは、無線ローカルエリアネットワーク（ＷＬＡＮ）を備える、請求項５８に記載の装置。
【請求項６０】
特定の基準を最適化するために、デューティサイクルと併せて、前記ＵＥにおける前記０本以上のアンテナからなる少なくとも１つの第２のセットを選択するための手段をさらに備える、請求項３３に記載の装置。
【請求項６１】
前記基準は、少なくとも第１および第２の無線アクセス技術（ＲＡＴ）についてスループットの最小値を最大にすることを備える、請求項６０に記載の装置。
【請求項６２】
前記基準は、少なくとも第１および第２の無線アクセス技術（ＲＡＴ）についてスループットの合計を最大にすることを備える、請求項６０に記載の装置。
【請求項６３】
特定のＲＡＴに割り振られたアンテナセットは、前記ＲＡＴのトラフィックのタイプに部分的に基づく、請求項３３に記載の装置。
【請求項６４】
ロングタームエボリューション（ＬＴＥ）に使用されているアンテナについての前記第２のＲＡＴ上での測定は、物理ダウンリンク制御チャネル（ＰＤＣＣＨ）がひとつも復号されないサブフレームの物理ダウンリンク共有チャネル（ＰＤＳＣＨ）部分で行われる、請求項３４に記載の装置。
【請求項６５】
ユーザ機器（ＵＥ）による無線通信のための装置であって、
前記ＵＥによって使用される０本以上のアンテナからなる少なくとも第１のセットから０本以上のアンテナからなる少なくとも１つの第２のセットへの切替をスケジューリングすることと、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定することと、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として決定される、
前記ＣＱＩを前記基地局に送信することと
を行うように構成された少なくとも１つのプロセッサと、
前記少なくとも１つのプロセッサに結合されたメモリと
を備える装置。
【請求項６６】
ユーザ機器（ＵＥ）による無線通信のための非一時的なコンピュータ可読媒体であって、
前記ＵＥによって使用される０本以上のアンテナからなる少なくとも第１のセットから０本以上のアンテナからなる少なくとも１つの第２のセットへの切替をスケジューリングし、ここにおいて、前記第１および第２のセットは、少なくとも１本のアンテナだけ異なり、前記切替は、チャネル品質インジケータ（ＣＱＩ）サブフレームセットの時間期間の間にスケジューリングされる、
前記ＣＱＩサブフレームセットにおいて基地局で使用するための、前記ＵＥから報告されるべきＣＱＩを、前記スケジューリングされた切替に基づいて決定し、ここにおいて、前記ＣＱＩサブフレームセットは、前記決定されたＣＱＩが使用されることとなるサブフレームのセットを含み、前記ＵＥから報告されるべき前記ＣＱＩは、少なくとも前記ＣＱＩサブフレームセットの間使用される各アンテナセットについてのＣＱＩの関数として決定される、
前記ＣＱＩを前記基地局に送信するためのコードを備える、非一時的なコンピュータ可読媒体。